(57)【要約】      （修正有）【課題】既存の衛生マスクに対して使用することができ、衛生マスクを装着したまま衛生マスクの下半分を捲り、またはもとに戻す作業を簡単に行うことができる、シンプルな構造の衛生マスクの捲り補助具を提供する。【解決手段】装着者の口及び鼻を覆う、衛生マスクの本体Ｍ１の裏面に配置して使用する板状の衛生マスクの捲り補助具Ａであって、左右両側に伸びる左右の両翼部２、３と、該左右の両翼部を連結し、前記左右の両翼部を前記捲り補助具の表面側または裏面側に屈折させることが可能なヒンジ部１と、該左右の前記両翼部それぞれの端部近傍に形成される前記衛生マスクへの係合部４と、を有し、装着者が前記両翼部の下縁または上縁を支点として前記補助具の表裏を反転させることで、前記補助具とともに前記衛生マスクの本体の上部または下部を捲り返し、装着者の口を露出させることが可能である。【選択図】図３
0003234280.tif 000002
【実用新案登録請求の範囲】
【請求項１】
装着者の口及び鼻を覆う、衛生マスクの本体の裏面に配置して使用する板状の衛生マスクの捲り補助具であって、
左右両側に伸びる左右の両翼部と、
左右の前記両翼部を連結し、前記左右の両翼部を前記捲り補助具の表面側または裏面側に屈折させることが可能なヒンジ部と、
左右の前記両翼部それぞれの端部近傍に形成される前記衛生マスクへの係合部と、を有し、
装着者が前記両翼部の下縁または上縁を支点と前記補助具の表裏を反転させることで、前記補助具とともに前記衛生マスクの本体の上部または下部を捲り返し、装着者の口を露出させることが可能であることを特徴とする衛生マスクの捲り補助具。
【請求項２】
請求項１記載の衛生マスクの捲り補助具であって、
前記係合部は、前記衛生マスクの耳掛け紐に係合するフックであることを特徴とする衛生マスクの捲り補助具。
【請求項３】
請求項１又は２いずれか記載の衛生マスクの捲り補助具であって、
前記ヒンジ部近傍には、前記捲り補助具を反転させる際に装着者が把持する操作部を形成したことを特徴とする衛生マスクの捲り補助具。
【請求項４】
請求項３記載の衛生マスクの捲り補助具であって、
前記操作部は前記ヒンジ部の両側において、左右の前記両翼部の上縁から延びる突起であることを特徴とする衛生マスクの捲り補助具。
【請求項５】
請求項３記載の衛生マスクの捲り補助具であって、
前記操作部は前記ヒンジ部の両側において、左右の前記両翼部の下縁から延びる突起であることを特徴とする衛生マスクの捲り補助具。
【請求項６】
請求項１乃至５のいずれか記載の衛生マスクの捲り補助具であって、
前記ヒンジ部は、前記捲り補助具の表面に形成された溝により形成されることを特徴とする衛生マスクの捲り補助具。
【請求項７】
請求項１乃至５のいずれか記載の衛生マスクの捲り補助具であって、
前記ヒンジ部は、左右の前記両翼部にかけ渡して貼着した接着テープによって形成されることを特徴とする衛生マスクの捲り補助具。
【請求項８】
請求項１乃至７のいずれか記載の衛生マスクの捲り補助具であって、
左右の前記両翼部の端部には、前記ヒンジにより左右の前記両端部を前記衛生マスクの本体ごと折り畳んだ際に、前記衛生マスクの耳掛け紐を巻き付ける紐巻き付け片を有することを特徴とする衛生マスクの捲り補助具。
【請求項９】
請求項１乃至８のいずれか記載の衛生マスクの捲り補助具であって、
左右の前記両翼部は、前記補助具の表面側及び裏面側に湾曲可能な材質で形成されることを特徴とする衛生マスク捲り補助具。
【請求項１０】
請求項１乃至９のいずれか記載の衛生マスクの捲り補助具であって、
前記補助具は板体を打ち抜くことで一体に形成されることを特徴とする衛生マスクの捲り補助具。
【請求項１１】
請求項８記載の衛生マスクの捲り補助具であって、
前記紐巻き付け片は前記両翼部とは別体で形成され、左右の前記両翼部に対して回動し、折り畳み可能な構造を有することを特徴とする衛生マスクの捲り補助具。
【請求項１２】
装着者の口及び鼻を覆う、衛生マスクの本体の表面に配置して使用する板状の衛生マスクの捲り補助具であって、
左右両側に伸びる左右の両翼部と、
左右の前記両翼部を連結し、前記左右の両翼部を前記捲り補助具の表面側または裏面側に屈折させることが可能なヒンジ部と、
左右の前記両翼部それぞれの端部近傍に形成される前記衛生マスクへの係合部と、
前記ヒンジの近傍、左右の前記両翼部前記に設けられる前記衛生マスクの本体への固定部、とを有し、
装着者が前記両翼部の下縁または上縁を支点と前記補助具の表裏を反転させることで、前記補助具とともに前記衛生マスクの本体の上部または下部を捲り返し、装着者の口を露出させることが可能であることを特徴とする衛生マスクの捲り補助具。
【考案の詳細な説明】
【技術分野】
【０００１】
本考案は、既存の衛生マスクとともに使用することで、衛生マスクの一部を捲って、衛生マスクの装着者の口を簡単に露出させることができる補助具に関する。
【背景技術】
【０００２】
感染症の蔓延により衛生マスクを終日装着するにあたって、飲食時、衛生マスクを一時的に外す場合がある。
【０００３】
テーブル毎に透明なシールド板を設置して、会話の際の飛沫拡散を防止する対策を採用できる場合もあるが、例えば、テーブルにコンロや鉄板を配置する飲食業種では、シールド板の設置が困難な場合がある。こういった場合、食べ物や飲み物を口に運んで摂食する時以外は衛生マスクを装着して食べ物の咀嚼や会話をする所作、いわゆるマスク会食が特に求められることがある。
【０００４】
マスク会食の所作は、摂食毎に衛生マスクを外し、また摂食後、これを装着することになるが、この行為は煩雑である。そこで、衛生マスクを着脱せずに摂食可能なマスクとして、以下の先行技術が提案されている。
【先行技術文献】
【特許文献】
【０００５】
【特許文献１】実用新案登録第3230765号
【特許文献２】実用新案登録第3231060号
【０００６】
上記特許文献１の衛生マスクは装着者の口が露出するように開口した下マスクとその開口を覆う上マスクとから構成される。また、上記特許文献２の衛生マスクは、マスクの一部を下方に引き下げることができるスクリーン部材とする構成が開示される。
【０００７】
これらいずれの衛生マスクも、摂食所作において、衛生マスクを摂食の度に着脱することを必要としないという点で利便性を有するが、これらそれぞれの衛生マスクは特殊な構造を有しており、これら衛生マスクを提供するとなると製造工程も煩雑になり、また製造コストも問題となる。
【考案の概要】
【考案が解決しようとする課題】
【０００８】
そこで、本考案の目的は、既存の衛生マスクに対して使用することができ、衛生マスクを装着したまま衛生マスクの下半分を捲り、またはもとに戻す作業を簡単に行うことができる、シンプルな構造の衛生マスクの捲り補助具を提供することにある。
【課題を解決するための手段】
【０００９】
上記目的を達成するため、本考案の代表的な衛生マスクの捲り補助具は、装着者の口及び鼻を覆う、衛生マスクの本体の裏面に配置して使用する板状の衛生マスクの捲り補助具であって、左右両側に伸びる左右の両翼部と、左右の前記両翼部を連結し、前記左右の両翼部を前記捲り補助具の表面側または裏面側に屈折させることが可能なヒンジ部と、左右の前記両翼部それぞれの端部近傍に形成される前記衛生マスクへの係合部と、を有し、装着者が前記両翼部の下縁または上縁を支点と前記補助具の表裏を反転させることで、前記補助具とともに前記衛生マスクの本体の上部または下部を捲り返し、装着者の口を露出させることが可能であることを特徴とする。
【考案の効果】
【００１０】
本考案の衛生マスク捲り補助具によれば、これを衛生マスクに重ねて配置することで、前記衛生マスクの本体の上部または下部を捲り、その状態を保持することが可能であり、衛生マスクを外すことなく装着者の口を露出させることができる。
【図面の簡単な説明】
【００１１】
【図１】本考案の第一実施形態に係る衛生マスク捲り補助具の正面図。
【図２】(ａ)は同補助具を衛生マスク本体の上部に装着した状態を示す装着者の頭部正面図、(ｂ)は同状態を示す装着者の頭部側面図。
【図３】(ａ)は同補助具を使用して衛生マスクを捲った状態を示す装着者の頭部正面図、(ｂ)は同状態の頭部側面図。
【図４】(ａ)乃至(ｄ)は同補助具を使ったマスクの折り畳み方法の説明図。
【図５】同補助具を衛生マスク本体の下部に笑着した状態を示す装着者の頭部正面図。
【図６】(ａ)は、本考案の第二実施形態に係る衛生マスク捲り補助具の正面図、(ｂ)は同補助具の把持方法の説明図である。
【図７】本考案の第三実施形態に係る衛生マスク捲り補助具の部分斜視図。
【図８】本考案の第四実施形態に係る衛生マスク捲り補助具の斜視図。
【考案を実施するための形態】
【００１２】
（第一実施形態）
本考案の衛生マスク捲り補助具の第一実施形態の構造を、図１を用いて説明する。
【００１３】
図１に示すように、本実施形態の衛生マスク捲り補助具(以下、補助具という)Aは、薄い板材を打ち抜いた、全体として略矩形のプレート形状を有する。このうち、左右方向の中央には縦方向に伸びるヒンジ部１を有し、このヒンジ部１を中心に、補助具Aの表面Ａａ側及び裏面Ａｂ側の両側に屈曲可能な構造となっている。
【００１４】
また、ヒンジ部１の両側は左右方向に延長されてそれぞれ両翼部２，３となっており、ヒンジ部１は両翼部２，３の端部２ａ，３ａを合わせて、接着テープＴで連結することにより構成されている。ヒンジ部１下の両翼部２，３の下縁は、弧状の切り欠き１ｂが形成され、補助具Ａを衛生マスクＭに取り付けて装着者が装着した際に、補助具Aと装着者の唇との干渉を回避する。
【００１５】
両翼部２，３の端部２ｂ，３ｂには、衛生マスクＭの耳掛け紐Ｍ２(図２(ｂ)参照)への係合部たるフック４，４が形成されている。また、さらに両翼部２，３から張り出して紐巻き付け片５となっており、後述するように耳掛け紐Ｍ２(図４(ｃ)参照)を差し込むためのスリット５ａ，５ａが形成されている。
【００１６】
なお、この補助具Ａは、板材を抜き型で打ち抜いて製造することができ、両翼部２，３のそれぞれにおいて、フック部４，４及び紐巻き付け部５，５を一体に形成することができる。
【００１７】
なお、補助具Ａの板材の素材はPET、塩ビ、あるいは厚紙など多様な材質から選択することができ、ヒンジ部１による屈曲に加えて両翼部２，３それ自体が表面Ａａ，裏面Ａｂのいずれの方向への可撓性がある材質が好ましい。なお、補助具Aは、高さ３ｃｍ〜５ｃｍ程度とし、装着した際に、マスク本体Ｍ１の半分程度が重ならない寸法としている。
【００１８】
図２及び図３を用いて、本実施形態の補助具Ａの使用方法を説明する。まず、補助具Ａの装着方法を図２(ａ)(ｂ)を用いて説明する。これら図に示すように、補助具Ａは、装着者Ｐの顔面と衛生マスクＭのマスク本体Ｍ１の間に配置して使用する。
【００１９】
より詳しく装着方法を説明すると、補助具Ａのフック部４，４を、衛生マスクＭの両側の耳掛け部Ｍ２のうち、上側の紐Ｍ２aにひっかけて、衛生マスクＭの本体Ｍ１の裏面に固定する。そして、補助具Ａのヒンジ部１下の切り欠き１ｂが装着者Ｐの上唇に位置するように衛生マスクＭの本体Ｍ１裏面に位置決めする。
【００２０】
マスク本体Ｍ１の裏面に補助具Ａをあてがった状態で、衛生マスクＭを装着すると、衛生マスクＭの耳掛け部の紐Ｍ２a、Ｍ２bの弾性により装着者Ｐの顔面に押圧されるので、補助具Ａは間に挟まれて装着者Ｐの顎から頬にかけて密着し、安定する。この際、補助具Ａの切り欠き部１ｂを装着者Ｐの上唇の上側に位置させることで、補助具Ａは装着者Ｐの口を覆わず、また、ヒンジ部１によって両翼部２，３が裏面側に屈折し、かつ可撓性を有する補助具Ａは鼻の稜線にそって撓むため、衛生マスク本来のフィルター機能を損なうことはない。
【００２１】
次に、補助具Ａにより衛生マスクを捲る方法を、図３(ａ)(ｂ)を用いて説明する。補助具Ａのヒンジ部１の下部を衛生マスク１の本体Ｍ１とともに把持し、補助具Ａの下端を中心にひっくり返すことにより、衛生マスクＭの本体Ｍ１の上半分を補助具Ａと一緒に下方に裏返す。すなわち、補助具Ａの上端の切り欠き部１ｂを上唇にあてがうことにより、衛生マスク本体Ｍ１が下方に裏返り、衛生マスクＭの本体Ｍ１によって覆われていた装着者Ｐの口を露出させることができる。
【００２２】
このとき、補助具Ａは、ヒンジ部１によって、屈曲方向が表裏で反転し、表面Ａａ方向に屈曲した状態で装着者Ｐの下顎に沿うこととなる。また、反転させても、フック４，４が衛生マスクＭの耳掛け部Ｍ２から外れることはなく、補助具Ａは外側に露出しながらも、衛生マスクＭから外れることはない。
【００２３】
この状態においては、上側の紐Ｍ２ａが補助具Ａの両翼部２，３を装着者Ｐの顔面に押圧した状態で安定し、装着者Ｐの口が露出した状態を保つことができる。そして、装着者Ｐは衛生マスクＭを装着したままで、かつ補助具Ａを手で抑えることなく、口を露出させた状態で飲食を行うことができる。
【００２４】
一方、補助具Ａの一部をマスク本体Ｍ１とともに把持し、回動させることで、簡単に補助具Ａを図２に示す元の位置に戻すことができるので、衛生マスクＭで口を覆った状態で、食べ物の咀嚼や会話を行うことができる。
【００２５】
図４を用いて、補助具Ａの紐巻き掛け部５，５を使った、衛生マスクＭの折り畳み方法を説明する。補助具Ａの使用状態においては、図４(ａ)に示すように、衛生マスクＭの本体Ｍ１の上半分に補助具Ａは装着されるが、装着部Ａの重なっていない本体Ｍ１の下半分を補助具Ａの裏面に重ね合わせるように折り畳む。
【００２６】
次に、図４(ｂ)に示すように、さらにヒンジ部１によって補助具Ａを、両翼部２，３を重ねるように折り畳むことで、図４(ｃ)に示すように、マスク本体Ｍ１から露出した、左右の両翼部２，３の紐巻き付け部５，５も重ねることができる。
【００２７】
この際、紐巻き付け部５，５のスリット５ａ、５ａも互いに重なって一体となるが、図４(ｄ)に示すように、このスリット５ａ、５ａに衛生マスクＭの耳掛け部Ｍ２を差し込み、紐巻き付け部５，５の周囲に巻き付けることで、補助具Ａと衛生マスクＭは折り畳まれた状態で固定され、衛生マスクＭの弾性に抗して開くことはない。
【００２８】
以上のように、本実施形態の補助具Ａによれば、衛生マスクＭを装着者Ｐが外した際に、装着者Ｐの顔に接触する裏面を内側にして、衛生マスクＭを折り畳むことができ、この状態でポケット等に簡単に収納することができる。
【００２９】
なお、補助具Ａは、フック４，４を衛生マスクＭの耳掛け部Ｍ２の下側の紐Ｍ２bに取り付けて使用することもでき、図５にその使用方法を説明する。
【００３０】
図５(ａ)に示すように、補助具Ａは、衛生マスクＭの裏面の、下半分に重ねて使用することとなり、装着者Ｐが口を露出させる場合は、図５(ｂ)に示すように、衛生マスクＭの下半分を上方に折り返して使用する。このような使用方法によっても、補助具Ａによって、衛生マスクＭを外すことなく、口を露出させることができる。
【００３１】
（第二実施形態）
次に、本考案の衛生マスク捲り補助具の第二実施形態の構造を、図６を用いて説明する。第一実施形態の補助具Ａと同様の構成については同じ符号を付してその説明を省略する。
【００３２】
図６(ａ)に示すように、本実施形態の補助具Bは、補助具Ａと同様に可撓性を有する板材を打ち抜いたプレート形状を有する。補助具Bは、ヒンジ部11とこのヒンジ部11から左右方向に延長される両翼部12，13とからなっており、端部12ｂ，13ｂに衛生マスクＭの耳掛け部Ｍ２に係合させるフック部14，14が形成される。
【００３３】
補助具Ｂのヒンジ部11は、分離した両翼部を接着テープで張り合わせてヒンジ部を構成した補助具Ａと異なり、両翼部２，３を一体に形成して、両者間に溝を形成することで構成している。所定の厚みを有する合成樹脂製の材質により、補助具Ｂの表面Ｂａ及び裏面Ｂｂの表面をケガくことで、溝を形成し、この部分をヒンジ部11とすることができる。
【００３４】
両翼部12，13はヒンジ部11に向かって細くなるテーパー形状を有しており、ヒンジ部11の長さは第一実施形態の補助具Ａより短くなっている。かかる形状によって、補助具Ｂを反転させる際に、ヒンジ部11による負荷を小さくすることができ、装着者Ｐは、より小さい力で補助具Ｂの操作を行うことができる。
【００３５】
また、両翼部12，13の端部12ａ，13ａは外側に延長して、ここに紐かけ片15、15が形成され、衛生マスクＭの紐Ｍ２a、Ｍ２bを挟み込むスリット15ａ、15ｂを有しているのは補助具Ａと同様である。
【００３６】
補助具Bの両翼部12、13は、ヒンジ部11の両側において上縁及び下縁が隆起して突起16、17が形成されており、これらが、装着者Pが補助具Bを反転させるときに使用する操作部となる。
【００３７】
図６(ｂ)に、これら操作部16、17の使用方法について説明する。装着者Ｐが補助具Ｂを判定させようとする際、装着者の手Ｈの人差し指と中指で操作部16を、親指で操作部17を把持し、スナップを効かせてマスク本体Ｍ１ごと補助具Ｂを反転させることで、簡単にマスク本体Ｍ１の上半分を反転させることができる。
【００３８】
この補助具Bも補助具Ａと同様に、板材を抜き型で打ち抜いて製造することができ、その際、紐巻き付け片15，15も両翼部12，13と一体に形成することができる。また、打ち抜く板材の素材も補助具Ａと同様であり、表面Ｂａ，裏面Ｂｂのいずれの方向にも可撓性がある材質が好ましい。
【００３９】
（他の実施形態）
図７を用いて、本件考案の第三実施形態を説明する。他の実施形態と同様の構成については、同じ符号を付して説明を省略する。
【００４０】
図７に示すように、本実施形態の補助具Ｃは補助具Ａのバリエーションであって、紐巻き付け片25を、クランク状の別体で形成しており、その基部に取り付けた回転軸25ｂをもって、両翼部２，３に対して回動自在に構成している。
【００４１】
かかる構造により、紐巻き付け片25を使用しないときには、両翼部12，13に重ねるように収納することができ、衛生マスクＭに重ねた際に、マスク本体Ｍ１から外側に張り出すことがなく、使用する際見栄えをよくすることができる。
【００４２】
紐巻き付け片25を使用する際は、これを回動させて両翼部12，13から張り出させることができ、両翼部12，13との間に、衛生マスクＭの耳掛け部Ｍ２を引っかけることができる、スリット25aが形成される。
【００４３】
図８を用いて、本件考案の第四実施形態を説明する。他の実施形態と同様の構成については、同じ符号を付して説明を省略する。
【００４４】
図８に示すように、本実施形態の補助具Ｄは補助具Ｂのバリエーションであって、衛生マスクＭの裏面ではなく、表面に取り付けて使用する補助具である。補助具Ｄは、前記ヒンジの近傍に設けられ、衛生マスクＭの本体Ｍ１の上縁に取り付けることができる、衛生マスクの本体への固定部たる、クリップ７，７を有する。
【００４５】
本考案の補助具Ｄは、衛生マスクＭの表面に装着しても、これを反転させるに際して、クリップ７，７が衛生マスクＭの本体Ｍ１を追従させて反転させることができるため、同様にマスクを折り返すことができる。補助具Ｄは、衛生マスクＭの表面に現れるために、模様や色彩などを施すことで、装飾性の高い補助具とすることができる。
【００４６】
なお、クリップ７，７の構造は、衛生マスクＭの裏面に装着する補助具Ａ乃至Ｃに応用することもでき、衛生マスクＭの、補助具と一体になった反転の追従を補助することができる。
【００４７】
その他、上記補助具Ａ乃至Ｄで示した構成以外に、本件考案の請求の範囲に属する中で多様な構成を選択することができる。例えば、補助具の衛生マスクＭへの係合部は耳掛け部Ｍ２に係合するフック４，４以外に、マスク本体Ｍ１に固定されるファスナーやボタン式ホック、またはピンなどであってもよい。
【００４８】
加えて、全体形状などは多様なサイズで設計でき、また、形状も多様に選択することもでき、例えばＶ字型、W型などの形状としてもよい。また、ヒンジ部は、間欠スリットで構成してもよく、折り曲げ線を印刷するなどして、装着者が使用直前に自ら折り曲げて形成する構造を採用しても良い。
【００４９】
また、吸湿性のある素材を表面に重ねることで、エッセンシャルオイルを浸み込ませ、または燻製することで、装着時にマスク内を香らせることもできる。
【符号の説明】
【００５０】
Ａ、Ｂ、Ｃ、Ｄ  衛生マスク捲り補助具(補助具)
１，11，21 ヒンジ部
１ｂ，11ｂ  切り欠き
２，３，12，13   両翼部
４，14  フック(係合部)
５，15，25 紐巻き付け片
７  クリップ（衛生マスクの本体への固定部）
16，17  操作部
Ｍ  衛生マスク
Ｍ１  衛生マスクの本体
Ｍ２，Ｍ２a，Ｍ２b  衛生マスクの耳掛け部（及び紐）
【図１】
0003234280.tif 000003
【図２】
0003234280.tif 000004
【図３】
0003234280.tif 000005
【図４】
0003234280.tif 000006
【図５】
0003234280.tif 000007
【図６】
0003234280.tif 000008
【図７】
0003234280.tif 000009
【図８】
0003234280.tif 000010
【手続補正書】
【提出日】令和3年7月20日(2021.7.20)
【手続補正１】
【補正対象書類名】実用新案登録請求の範囲
【補正対象項目名】全文
【補正方法】変更
【補正の内容】
【実用新案登録請求の範囲】
【請求項１】
装着者の口及び鼻を覆う、衛生マスクの本体の裏面に配置して使用する板状の衛生マスクの捲り補助具であって、
左右両側に伸びる左右の両翼部と、
左右の前記両翼部を連結し、前記左右の両翼部を前記捲り補助具の表面側または裏面側に屈折させることが可能なヒンジ部と、
左右の前記両翼部それぞれの端部近傍に形成される前記衛生マスクへの係合部と、を有し、
装着者が前記両翼部の下縁または上縁を支点として前記補助具の表裏を反転させることで、前記補助具とともに前記衛生マスクの本体の上部または下部を捲り返し、装着者の口を露出させることが可能であることを特徴とする衛生マスクの捲り補助具。
【請求項２】
請求項１記載の衛生マスクの捲り補助具であって、
前記係合部は、前記衛生マスクの耳掛け紐に係合するフックであることを特徴とする衛生マスクの捲り補助具。
【請求項３】
請求項１又は２いずれか記載の衛生マスクの捲り補助具であって、
前記ヒンジ部近傍には、前記捲り補助具を反転させる際に装着者が把持する操作部を形成したことを特徴とする衛生マスクの捲り補助具。
【請求項４】
請求項３記載の衛生マスクの捲り補助具であって、
前記操作部は前記ヒンジ部の両側において、左右の前記両翼部の上縁から延びる突起であることを特徴とする衛生マスクの捲り補助具。
【請求項５】
請求項３記載の衛生マスクの捲り補助具であって、
前記操作部は前記ヒンジ部の両側において、左右の前記両翼部の下縁から延びる突起であることを特徴とする衛生マスクの捲り補助具。
【請求項６】
請求項１乃至５のいずれか記載の衛生マスクの捲り補助具であって、
前記ヒンジ部は、前記捲り補助具の表面に形成された溝により形成されることを特徴とする衛生マスクの捲り補助具。
【請求項７】
請求項１乃至５のいずれか記載の衛生マスクの捲り補助具であって、
前記ヒンジ部は、左右の前記両翼部にかけ渡して貼着した接着テープによって形成されることを特徴とする衛生マスクの捲り補助具。
【請求項８】
請求項１乃至７のいずれか記載の衛生マスクの捲り補助具であって、
左右の前記両翼部の端部には、前記ヒンジ部により左右の前記両端部を前記衛生マスクの本体ごと折り畳んだ際に、前記衛生マスクの耳掛け紐を巻き付ける紐巻き付け片を有することを特徴とする衛生マスクの捲り補助具。
【請求項９】
請求項１乃至８のいずれか記載の衛生マスクの捲り補助具であって、
左右の前記両翼部は、前記補助具の表面側及び裏面側に湾曲可能な材質で形成されることを特徴とする衛生マスク捲り補助具。
【請求項１０】
請求項１乃至９のいずれか記載の衛生マスクの捲り補助具であって、
前記補助具は板体を打ち抜くことで一体に形成されることを特徴とする衛生マスクの捲り補助具。
【請求項１１】
請求項８記載の衛生マスクの捲り補助具であって、
前記紐巻き付け片は前記両翼部とは別体で形成され、左右の前記両翼部に対して回動し、折り畳み可能な構造を有することを特徴とする衛生マスクの捲り補助具。
【請求項１２】
装着者の口及び鼻を覆う、衛生マスクの本体の表面に配置して使用する板状の衛生マスクの捲り補助具であって、
左右両側に伸びる左右の両翼部と、
左右の前記両翼部を連結し、前記左右の両翼部を前記捲り補助具の表面側または裏面側に屈折させることが可能なヒンジ部と、
左右の前記両翼部それぞれの端部近傍に形成される前記衛生マスクへの係合部と、
前記ヒンジ部の近傍に設けられる前記衛生マスクの本体への固定部、とを有し、
装着者が前記両翼部の下縁または上縁を支点として前記補助具の表裏を反転させることで、前記補助具とともに前記衛生マスクの本体の上部または下部を捲り返し、装着者の口を露出させることが可能であることを特徴とする衛生マスクの捲り補助具。
【手続補正２】
【補正対象書類名】明細書
【補正対象項目名】０００９
【補正方法】変更
【補正の内容】
【０００９】
上記目的を達成するため、本考案の代表的な衛生マスクの捲り補助具は、装着者の口及び鼻を覆う、衛生マスクの本体の裏面に配置して使用する板状の衛生マスクの捲り補助具であって、左右両側に伸びる左右の両翼部と、左右の前記両翼部を連結し、前記左右の両翼部を前記捲り補助具の表面側または裏面側に屈折させることが可能なヒンジ部と、左右の前記両翼部それぞれの端部近傍に形成される前記衛生マスクへの係合部と、を有し、装着者が前記両翼部の下縁または上縁を支点として前記補助具の表裏を反転させることで、前記補助具とともに前記衛生マスクの本体の上部または下部を捲り返し、装着者の口を露出させることが可能であることを特徴とする。